(57)【要約】  万年筆の機能を備える電子ペンの電子ペン本体部を提供する。  液体のインクを収容するカートリッジがペン芯の後端部に嵌合されていると共に、ペン体が、前記ペン芯に対して、前記ペン芯と前記カートリッジとの結合方向に直交する方向に重ねられて配置されているインク筆記部と、タブレットとの間で信号のやり取りをするための電子部品を有するインタラクション部とを備える。インタラクション部は、ペン芯とカートリッジとの結合方向において、ペン体の筆記端よりもカートリッジ側に引っ込んでいる状態で、ペン芯の、ペン芯とカートリッジとの結合方向に直交する方向のペン体とは反対側に配設されている。
2019163231.tif 000002
【特許請求の範囲】
【請求項１】
液体のインクを収容するカートリッジがペン芯の後端部に嵌合されていると共に、ペン体が、前記ペン芯に対して、前記ペン芯と前記カートリッジとの結合方向に直交する方向に重ねられて配置されているインク筆記部と、
タブレットとの間で信号のやり取りをするための電子部品を有するインタラクション部と、
を備え、
前記インタラクション部は、前記ペン芯の、前記ペン芯と前記カートリッジとの結合方向に直交する方向の前記ペン体とは反対側に配設されている
ことを特徴とする電子ペン本体部。
【請求項２】
前記インタラクション部は、前記ペン芯と前記カートリッジとの結合方向において前記ペン体の筆記端よりも前記カートリッジ側に引っ込んでいる状態で、前記ペン芯の、前記ペン芯と前記カートリッジとの結合方向に直交する方向の前記ペン体とは反対側に配設されている
ことを特徴とする請求項１に記載の電子ペン本体部。
【請求項３】
前記インタラクション部の前記電子部品は、前記インク筆記部とは所定の部材により仕切られた空間に存在するように構成されている
ことを特徴とする請求項１に記載の電子ペン本体部。
【請求項４】
前記インタラクション部の前記電子部品は、磁性体コアに巻回されたコイルを含む
ことを特徴とする請求項１に記載の電子ペン本体部。
【請求項５】
前記インタラクション部の前記電子部品は、信号を送出する棒状の導電体を含む
ことを特徴とする請求項１に記載の電子ペン本体部。
【請求項６】
少なくともペン先側とは反対側が、電子ペンの筒状の筐体内に収納されるホルダーを備え、
前記ホルダーの前記電子ペンのペン先側には、前記インタラクション部の前記電子部品を収容して、前記ペン先側に突出する電子部品収容部が設けられている
ことを特徴とする請求項１に記載の電子ペン本体部。
【請求項７】
少なくともペン先側とは反対側が、電子ペンの筒状の筐体内に収納されるホルダーを備え、
前記ホルダーは、前記インク筆記部を、前記電子ペンの軸心方向に直交する方向から収納可能とするインク筆記部収納部を備える
ことを特徴とする請求項１に記載の電子ペン本体部。
【請求項８】
前記ホルダーは、前記インク筆記部を、前記電子ペンの軸心方向に直交する方向から収納可能とするインク筆記部収納部を備え、
前記インク筆記部は、前記ペン芯の前記ペン体とは反対側が前記電子部品収容部と対向する状態で前記インク筆記部収納部に収納される
ことを特徴とする請求項６に記載の電子ペン本体部。
【請求項９】
前記ホルダーは、前記電子部品収容部に収容されている電子部品と電気的に接続される部品を搭載するプリント基板を、前記電子ペンの筐体内に収納される部分に備える
ことを特徴とする請求項６に記載の電子ペン本体部。
【請求項１０】
少なくともペン先側とは反対側が、電子ペンの筒状の筐体内に収納されるホルダーを備え、
前記ホルダーは、前記電子ペンのペン先側に、前記インタラクション部の前記電子部品を収容して、前記ペン先側に突出する電子部品収容部が設けられている第１のホルダーと、前記インク筆記部を、前記電子ペンの軸心方向に直交する方向から収納可能とするインク筆記部収納部を備える第２のホルダーとからなり、前記第１のホルダーと前記第２のホルダーとが前記電子ペンの軸心方向に結合されることで、前記電子部品収容部と前記インク筆記部収納部とが別空間とされた
ことを特徴とする請求項１に記載の電子ペン本体部。
【請求項１１】
前記ペン芯と前記カートリッジとの結合方向において、前記インタラクション部とは反対側に筆圧検出部が配置されており、
前記筆圧検出部は、電子ペンの筐体内の固定されている部位に係合して、前記筐体との間で生じる力を受ける係合部を備え、前記ペン体の先端に印加された圧力に応じて電子ペン本体部の全体が前記圧力に応じて変位することで前記係合部に印加される前記力を検出する
ことを特徴とする請求項１に記載の電子ペン本体部。
【請求項１２】
前記筆圧検出部の前記係合部は、前記ペン芯と前記カートリッジとの結合方向において、前記電子ペンの筐体内に固定されている部位に係合するように形成されており、
前記ペン体の先端に印加された圧力に応じて、前記電子ペンの筐体内で、前記ペン芯と前記カートリッジとの結合方向に変位するように構成されている
ことを特徴とする請求項１１に記載の電子ペン本体部。
【請求項１３】
前記筆圧検出部の前記係合部は、前記ペン芯と前記カートリッジとの結合方向に直交する方向において、前記電子ペンの筐体と係合するように形成されており、
前記ペン体の先端に印加された圧力に応じて、前記電子ペンの筐体内で、前記ペン芯と前記カートリッジとの結合方向に交差する方向に変位するように構成されている
ことを特徴とする請求項１１に記載の電子ペン本体部。
【請求項１４】
前記電子ペンの筐体内において、前記ペン芯と前記カートリッジとの結合方向に交差する方向に変位するように揺動する支点を備える
ことを特徴とする請求項１３に記載の電子ペン本体部。
【請求項１５】
前記インク筆記部は、着脱可能である
ことを特徴とする請求項１に記載の電子ペン本体部。
【請求項１６】
前記インク筆記部の前記カートリッジは交換可能である
ことを特徴とする請求項１５に記載の電子ペン本体部。
【請求項１７】
筒状の筐体内に、電子ペン本体部の少なくともペン先側とは反対側が収納される電子ペンであって、
前記電子ペン本体部は、
液体のインクを収容するカートリッジがペン芯の後端部に嵌合されていると共に、ペン体が、前記ペン芯に対して、前記ペン芯と前記カートリッジとの結合方向に直交する方向に重ねられて装着されているインク筆記部と、
タブレットとの間で信号のやり取りをするための電子部品を有するインタラクション部と、
を備え、
前記インタラクション部は、前記ペン芯と前記カートリッジとの結合方向において前記ペン体の筆記端よりも前記カートリッジ側に引っ込んでいる状態で、前記ペン芯の、前記ペン芯と前記カートリッジとの結合方向に直交する方向の前記ペン体とは反対側に配設されている
ことを特徴とする電子ペン。
【請求項１８】
前記電子ペン本体部は、前記ペン芯と前記カートリッジとの結合方向において、前記インタラクション部とは反対側に筆圧検出部を備えており、
前記筆圧検出部は、前記筐体内に固定されている部位に係合して、前記筐体との間で生じる力を受ける係合部を備え、前記ペン体の先端に印加された圧力に応じて前記電子ペン本体部の全体が前記圧力に応じて変位することで前記係合部に印加される前記力を検出する
ことを特徴とする請求項１７に記載の電子ペン。
【請求項１９】
前記筆圧検出部の前記係合部は、前記ペン芯と前記カートリッジとの結合方向において、前記筐体内に固定されている部位に係合するように形成されており、
前記電子ペン本体部は、前記ペン体の先端に印加された圧力に応じて、前記筐体内で、前記ペン芯と前記カートリッジとの結合方向に変位するように構成されている
ことを特徴とする請求項１８に記載の電子ペン。
【請求項２０】
前記筆圧検出部の前記係合部は、前記ペン芯と前記カートリッジとの結合方向に直交する方向において、前記筐体内に固定されている部位に係合するように形成されており、
前記電子ペン本体部は、前記ペン体の先端に印加された圧力に応じて、前記筐体内で、前記ペン芯と前記カートリッジとの結合方向に交差する方向に変位するように構成されている
ことを特徴とする請求項１８に記載の電子ペン。
【発明の詳細な説明】
【技術分野】
【０００１】
この発明は、筆記具としての万年筆の機能をも有する電子ペン及び電子ペンを構成する電子ペン本体部に関する。
【背景技術】
【０００２】
用紙に描いた文字や絵を描いたときに、同時に、当該描かれた文字や絵の電子データ（位置座標や軌跡のデータ）を取得することができるようにしたタブレットが提案されている（例えば、特許文献１（ＷＯ２０１７／０１７８００号公報）参照）。【０００３】
この種のタブレットと共に用いられる電子ペンは、特許文献１に示されるように、ボールペンやシャープペンシルなどの筆記具の機能を備えるように構成されている。使用者は、タブレットの位置検出センサの座標検出領域である平面上に用紙を置き、上記の電子ペンの筆記具の機能部により、その用紙に文字や絵を描く。すると、タブレットは、その用紙に文字や絵が描かられた際において、電子ペンにより指示された位置の座標及び軌跡を検出して、その電子データを保持するようにする。これにより、この種のタブレットは、用紙に描かられた文字や絵の電子データを取得することができる。
【先行技術文献】
【特許文献】
【０００４】
【特許文献１】ＷＯ２０１７／０１７８００号公報
【発明の概要】
【発明が解決しようとする課題】
【０００５】
ところで、用紙に描く筆記具としては、万年筆も根強く使用されている。万年筆の特徴としては、
・液体のインクを用いる
・ペン先部は、インクを導出させるための工夫がなされている
・ペン体は、金属であることが多い
・傾けて使用されることが一般的である
などが挙げられる。【０００６】
上記の万年筆の特徴は、以下に説明するように電子ペンとは親和性が悪く、従来、万年筆の機能を電子ペンに搭載した場合の具体的な提案は殆ど存在しない。【０００７】
すなわち、電子ペンのペン先には、位置検出センサとインタラクションする電子部品（例えば電磁誘導方式の場合にはコイル）が設けられるが、この電子部品は水分に対して敏感である。また、万年筆のペン体は金属が用いられることが多いが、電子ペンのインタラクションする電子部品は、金属の影響を受け易い。【０００８】
また、万年筆は傾けて使用されるが、電子ペンのペン先には、上述のような位置検出センサとインタラクションするための電子部品を配置する必要があるが、万年筆のペン体による斜めにした書き易さを維持する構成とする場合における、前記電子部品の位置が問題となる。【０００９】
この発明は、以上の問題点を回避することができるようにした電子ペンを提供することを目的とする。
【課題を解決するための手段】
【００１０】
上記の課題を解決するために、
筒状の筐体内に、電子ペン本体部の少なくともペン先側とは反対側が収納される電子ペンであって、
前記電子ペン本体部は、
液体のインクを収容するカートリッジがペン芯の後端部に嵌合されていると共に、ペン体が、前記ペン芯に対して、前記ペン芯と前記カートリッジとの結合方向に直交する方向に重ねられて装着されているインク筆記部と、
タブレットとの間で信号のやり取りをするための電子部品を有するインタラクション部と、
を備え、
前記インタラクション部は、前記ペン芯の、前記ペン芯と前記カートリッジとの結合方向に直交する方向の前記ペン体とは反対側に配設されている
ことを特徴とする電子ペンを提供する。【００１１】
上述の構成の電子ペンにおいては、タブレットとの間で信号のやり取りをするための電子部品を有するインタラクション部は、インク筆記部のペン芯の、ペン芯とカートリッジとの結合方向に直交する方向においてペン体とは反対側に配設されている。【００１２】
したがって、上述の構成の電子ペンによれば、液体のインクが含浸されるペン体とは、ペン芯を介して反対側にインタラクション部が配設されているので、インタラクション部の電子部品が液体のインクの影響を受けにくくすることができる。また、芯体が金属で構成されている場合でも、インタラクション部とペン体との間には、ペン芯が存在する状態となるので、インタラクション部が、金属のペン体からの干渉を受けにくくすることができる。
【図面の簡単な説明】
【００１３】
【図１】この発明による電子ペン本体部の第１の実施形態の構成例を説明するための縦断面図である。
【図２】この発明のよる電子ペン本体部の第１の実施形態の分解斜視図である。
【図３】この発明のよる電子ペン本体部の第１の実施形態の一部の構成を説明するための図である。
【図４】この発明のよる電子ペン本体部の第１の実施形態の一部の構成を説明するための図である。
【図５】この発明のよる電子ペン本体部の第１の実施形態の電子ペン構成ユニットの構成例を説明するための図である。
【図６】この発明のよる電子ペン本体部の第１の実施形態の構成例を説明するための図である。
【図７】この発明のよる電子ペン本体部の第１の実施形態の構成例を説明するための図である。
【図８】この発明のよる電子ペン本体部の第２の実施形態の構成例を説明するための図である。
【図９】この発明のよる電子ペン本体部の第３の実施形態の構成例を説明するための図である。
【図１０】この発明のよる電子ペン本体部の第４の実施形態の構成例を説明するための図である。
【発明を実施するための形態】
【００１４】
［第１の実施形態］
この発明による電子ペン及び電子ペン本体部の第１の実施形態を、電磁誘導方式の電子ペンの場合について、図を参照しながら説明する。
【００１５】
図１〜図６は、この第１の実施形態の電子ペンで用いられる電子ペン本体部１０の構成を説明するための図である。図１は、第１の実施形態の電子ペン本体部１０の縦断面図である。また、図２は、第１の実施形態の電子ペン本体部１０を構成する各部の分解斜視図である。
【００１６】
電子ペン本体部１０は、図１及び図２に示すように、ホルダー１１に、電子ペン機能部を構成する電子ペン構成部品（電子部品）が配設される電子ペン構成ユニット１０Ｕ（図６参照）と、万年筆の機能を実現するためのインク筆記部１２とが組み合わされた構造となっている。
【００１７】
インク筆記部１２は、周知の万年筆のペン先側の構成を備えるもので、この例では、金属製のペン体１２１が、インク溝１２２ａを備えるペン芯１２２の上に重ねられて設けられていると共に、ペン芯１２２にインクカートリッジ１２３が嵌合されて構成されている。インクカートリッジ１２３の内部の空間には液体のインク１２４が充填されている。
【００１８】
インクカートリッジ１２３は、この実施形態の電子ペンの軸心方向（以下、単に軸心方向という）において、ペン芯１２２の後端側に結合されている。そして、ペン体１２１は、その先端（ペン先）がペン芯１２２の軸心方向の先端よりも、軸心方向に突出する状態で、ペン芯１２２に対して、軸心方向に直交する方向に重ねられて設けられている。
【００１９】
周知のように、インクカートリッジ１２３に充填されているインク１２４は、ペン芯１２２を通じてペン体１２１に供給され、ペン体１２１の先端を用紙に接触させて移動させることで、文字や絵を描くことができる。なお、ペン芯１２２に対して、インクカートリッジ１２３は着脱可能であり、インクカートリッジ１２３は、ペン芯１２２から取り外して交換が可能である。
【００２０】
図１、図２及び図３に示すように、この実施形態では、ホルダー１１は、絶縁性材料、例えば樹脂で構成され、軸心方向に結合される第１のホルダー１１１と、第２のホルダー１１２とで構成されている。図３（Ａ）は、第１のホルダー１１１と第２のホルダー１１２とを結合した状態の斜視図、図３（Ｂ）は、第１のホルダー１１１と、第２のホルダー１１２とを分解して示した分解斜視図、図３（Ｃ）は、第１のホルダー１１１のペン先側の拡大斜視図である。この例では、第１のホルダー１１１内に、第２のホルダー１１２が、軸心方向に挿入されて結合されることでホルダー１１が構成される。
【００２１】
ホルダー１１には、インク筆記部１２が収納保持されると共に、電子ペン機能部を構成する電子部品が収納保持される。この実施形態の電子ペン本体部１０の電子部品は、磁性体コア、この例ではフェライトコア１３に巻回されたコイル１４と、プリント基板１５と、プリント基板１５に配設されてコイル１４と電気的に並列に接続されて並列共振回路を構成するキャパシタ１６と、筆圧検出部１７とで構成される。
【００２２】
第２のホルダー１１２の軸心方向のペン先側には、図１〜図３に示すように、インク筆記部１２のインクカートリッジ１２３の部分とペン芯１２２の一部が収納されるインク筆記部収納部１１２ａが形成されている。このインク筆記部収納部１１２ａは、円筒を半分に縦割りしたようなハーフパイプ形状を備える。
【００２３】
第１のホルダー１１１は、図１〜図３に示すように、第２のホルダー１１２が軸心方向に挿入可能な筒状形状を有する。そして、この第１のホルダー１１１の軸心方向のペン先側には、第２のホルダー１１２のインク筆記部収納部１１２ａを外部に露呈することができるようにするために、円筒を半分に縦割りしたようなハーフパイプ形状の凹部１１１ａを備える。
【００２４】
したがって、図３（Ａ）に示すように、第１のホルダー１１１に第２のホルダー１１２が結合された状態において、第２のホルダー１１２のインク筆記部収納部１１２ａが外部に露出する状態となり、後述するように、軸心方向に直交する方向から、インク筆記部１２のインクカートリッジ１２３及びペン芯１２２の一部を収納することが可能となる。インク筆記部１２を、インク筆記部収納部１１２ａに収納したときには、ペン体１２１とペン芯１２２の一部は、インク筆記部収納部１１２ａには収納されずに、ペン先側に突出する状態となる。
【００２５】
フェライトコア１３に巻回されたコイル１４は、位置検出センサと電磁結合してインタラクションするために、できるだけ、ペン先側に設けることが好ましい。この実施形態では、第１のホルダー１１１には、図１〜図３に示すように、ハーフパイプ状の凹部１１１ａの先端部よりも、軸心方向にペン先側に突出するように、フェライトコア１３に巻回されたコイル１４を収容するための収容部１１１ｂが形成される。
【００２６】
この第１のホルダー１１１の収容部１１１ｂは、図１及び図３（Ｃ）に示すように、フェライトコア１３の軸心方向の長さ分の深さの凹穴１１１ｂｈを備える。コイル１４が巻回されたフェライトコア１３は、図３（Ｃ）において矢印で示すように、この第１のホルダー１１１の収容部１１１ｂの凹穴１１１ｂｈ内に差し込まれて収容される。
【００２７】
この場合に、コイル１４の両端のリード線１４ａ及び１４ｂは、図３（Ｂ）に示すように、この収容部１１１ｂから、第１のホルダーの凹部１１１ａ内に導出されるように構成されており、後述するように、リード線１４ａ及び１４ｂの間に、コイル１４と共に共振回路を構成するキャパシタが接続される。したがって、この実施形態では、コイル１４が巻回されたフェライトコア１３が収容部１１１ｂに収容されることで、電子ペン本体部１０のインタラクション部が構成される。
【００２８】
第２のホルダー１１２の軸心方向の先端部には、第１のホルダー１１１に挿入して結合したときに、第１のホルダー１１１の収容部１１１ｂの凹穴１１１ｂｈの少なくとも、凹部１１１ａの開口側を閉塞するようにする閉塞部１１２ｂが形成されている。この場合に、図１に示すように、第２のホルダー１１２の閉塞部１１２ｂは、第１のホルダー１１１の収容部１１１ｂの凹穴１１１ｂｈとの間で、凹部１１１ａの開口側とは反対側には隙間を設けるように構成されており、この隙間を通って、コイル１４の両端のリード線１４ａ及び１４ｂが凹部１１１ａの底部に導出可能とされている。そして、図１に示すように、第１のホルダー１１１の凹部１１１ａの内壁面の底部と、第２のホルダー１１２のインク筆記部収納部１１２ａの底部の外周壁との間には、空間が形成されており、この空間に、コイル１４の両端のリード線１４ａ及び１４ｂが這わせられる。
【００２９】
第２のホルダー１１２のインク筆記部収納部１１２ａよりも軸心方向にペン先側とは反対側には、図１〜図３及び図４並びに図５に示すように、プリント基板１５を載置するための基板載置部１１２ｃが形成されている。この基板載置部１１２ｃは、第２のホルダー１１２において、中実の円柱状部の、インク筆記部収納部１１２ａの開口側とは軸心方向に直交する方向において反対側の半円柱部分が切除されたような形状とすることで形成される。この基板載置部１１２ｃのプリント基板１５を載置する部分は、図１に示すように、平面状とされている。
【００３０】
なお、図４（Ａ）は、ホルダー１１を、第１のホルダー１１１の凹部１１１ａの開口側とは反対側から見た図であり、図４（Ｂ）は、基板載置部１１２ｃの部分の拡大図である。また、図５は、ホルダー１１の第２のホルダー１１２の基板載置部１１２ｃに、プリント基板１５を装着した状態を示す斜視図である。
【００３１】
筒状の第１のホルダー１１１の、第２のホルダー１１２が挿入されて結合されたときに、基板載置部１１１ｃが対応する位置となる部分は、図１〜図３に示すように、当該基板載置部１１１ｃが第１のホルダー１１１からも外部に露出するように、ハーフパイプ状に切り欠かれた切欠き部１１１ｃとされている。
【００３２】
第２のホルダー１１２の基板載置部１１２ｃよりも軸心方向にペン先側とは反対側は、当該第２のホルダー１１２の後端部１１２ｄとされる。この後端部１１２ｄは、図１〜図３に示すように、基板載置部１１２ｃと連通する円柱状空間１１２ｅを有するように筒状に形成されており、第２のホルダー１１２の後端側において開口となっている。
【００３３】
筆圧検出部１７は、この例では、図１、図２及び図４（Ａ）に示すように、軸心方向においてプリント基板１５の後端側に結合されて取り付けられている。この例の筆圧検出部１７は、図１に示すように、プリント基板１５を挟持するようにして、当該プリント基板１５に対して固定するための取付固定部１７１と、感圧部１７２と、感圧部１７２に対して圧力を印加する押子部材１７３とからなる。押子部材１７３は、取付固定部１７１に対して筐体２の軸心方向に移動可能として感圧部１７２を押圧するような状態で、筆圧検出部１７から外部に突出している。
【００３４】
筆圧検出部１７の感圧部１７２は、例えば容量可変キャパシタの静電容量を、印加される圧力（筆圧）に応じて変化させる機構を用いるもの（例えば特許文献（特開２０１１−１８６８０３号公報）参照）で構成される。なお、筆圧検出部１７の感圧部１７２は、容量可変キャパシタをＭＥＭＳ（Micro Electro Mechanical Systems）素子からなる半導体チップで構成したもの（例えば特許文献（特開２０１３−１６１３０７号公報）参照）を用いることもできる。筆圧検出部１７の構成は、これらの構成例に限られるものではなく、筆圧をインダクタンスの変化として検出するものであってもよい。
【００３５】
そして、この例では、プリント基板１５は、筆圧検出部１７が結合された状態で、図４に示すように、第２のホルダー１１２の後端部１１２ｄの開口から円柱状空間１１２ｅ内に挿入されて、基板載置部１１２ｃに固定される。第２のホルダー１１２の後端部１１２ｄの円柱状空間１１２ｅの開口は、蓋部１８により閉塞される。
【００３６】
蓋部１８は、軸心方向の貫通孔１８ａを備え、当該貫通孔１８ａ内に、筆圧検出部１７を収納する状態で、第２のホルダー１１２の後端部１１２ｄの円柱状空間１１２ｅに圧入嵌合されて、当該円柱状空間１１２ｅの開口を閉塞する。この場合に、円柱状空間１１２ｅに圧入嵌合される蓋部１８の軸心方向の端部は、プリント基板１５の後端部と衝合し、これにより、プリント基板１５の軸心方向の位置が固定される。
【００３７】
そして、図１及び図５に示すように、筆圧検出部１７の押子部材１７３の突出部は、軸心方向において蓋部１８よりも外部に突出する状態とされる。そして、この例では、この押子部材１７３の先端には、図１及び図２に示すように、後述する電子ペン１の筐体内の固定部と嵌合する嵌合部材１９が嵌合されている。
【００３８】
以上のように構成される電子ペン本体部１０の組み立て手順について説明する。
【００３９】
先ず、図３（Ｃ）に示すように、コイル１４を巻回したフェライトコア１３を、第１のホルダー１１１の収容部１１１ｂ内に挿入して収容する。このとき、コイル１４の両端のリード線１４ａ及び１４ｂは、第１のホルダー１１１の凹部１１４ａの底部に、軸心方向に這わせられ、第１のホルダー１１１の切欠き部１１１ｃにまで延長される状態としておく（図１、図３（Ｂ）及び図４（Ａ），（Ｂ）参照）。
【００４０】
次に、図３（Ｂ）に示すように、第１のホルダー１１１に対して、第２のホルダー１１２を、そのインク筆記部収納部１１２ａを第１のホルダー１１１の凹部１１１ａに収納するように挿入し、第２のホルダー１１２の軸心方向の先端の閉塞部１１２ｂで、第１のホルダー１１１の収容部１１１ｂを閉塞するような状態とする。このとき、コイル１４の両端のリード線１４ａ及び１４ｂは、図１に示すように、インク筆記部収納部１１２ａと第１のホルダー１１１の凹部１１１ａとの間の空間に存在する状態となり、当該コイル１４の両端のリード線１４ａ及び１４ｂの先端は、図４（Ａ）及び（Ｂ）に示すように、第２のホルダー１１２の基板載置部１１２ｃ上に存在する状態となる。
【００４１】
次に、図４（Ａ）及び（Ｂ）に示すように、キャパシタ１６が配置されていると共に、筆圧検出部１７が後端側に結合されているプリント基板１５を、第２のホルダー１１２の後端部１１２ｄの円柱状空間１１２ｅの開口から挿入し、第２のホルダー１１２の基板載置部１１２ｃに配置させる。このとき、図４（Ｂ）に示すように、プリント基板１５の先端１５ａが、第２のホルダー１１２に設けられている凹穴１１２ｆに嵌合されることでプリント基板１５は、基板載置部１１２ｃから脱落しないように係止される。
【００４２】
そして、第２のホルダー１１２の後端部１１２ｄの円柱状空間１１２ｅに、蓋部１８を、その貫通孔１８ａ内に筆圧検出部１７を収納する状態で圧入嵌合させて、図５に示すような状態とする。
【００４３】
次に、図５に示す状態において、コイル１４の両端のリード線１４ａ及び１４ｂを、キャパシタ１６と並列に接続するように、プリント基板１５に半田付けする。そして、この例では、更に、キャパシタ１６に対して、筆圧検出部１７を構成する可変容量キャパシタを並列に接続するように、プリント基板１５に対して、筆圧検出部１７の感圧部１７２から導出されるリード線を半田付けする。
【００４４】
そして、蓋部１８よりも突出している筆圧検出部１７の押子部材１７３の先端に嵌合部材１９を装着して、図６（Ａ）に示すような電子ペン構成ユニット１０Ｕを形成する。この電子ペン構成ユニット１０Ｕの第２のホルダー１１２のインク筆記部収納部１１２ａに、図６（Ａ）の矢印で示すように、軸心方向に直交する方向から、インク筆記部１２を収納させる。これにより、図６（Ｂ）に示すような、この実施形態の電子ペン本体部１０が形成される。
【００４５】
図７は、以上のようにして作成したこの実施形態の電子ペン本体部１０を、筒状の筐体２内に収納した、第１の実施形態の電子ペン１を説明するための図である。この図７は、理解を容易にするために、電子ペン１の筒状の筐体２のみを断面として示してある。
【００４６】
この実施形態の電子ペン１の筒状の筐体２は、ペン先側筐体２１と、後端側筐体２２とからなり、両者が螺合されて構成される。すなわち、図７に示すように、ペン先側筐体２１の後端側には、内壁面にねじ部２１Ｓが形成されていると共に、後端側筐体２２のペン先側には、外周面にねじ部２２Ｓが形成されており、ねじ部２１Ｓとねじ部２２Ｓとが螺合することにより、ペン先側筐体２１と後端側筐体２２に結合される。
【００４７】
ペン先側筐体２１は、ペン先側に開口２１ａを備える。電子ペン本体部１０の、インク筆記部１２のペン体１２１及びペン芯１２２のペン先側と、コイル１４が巻回されているフェライトコア１３が収容された第１のホルダー１１１の収容部１１１ｂとが、この開口２１ａから突出される状態となる。
【００４８】
そして、図７に示すように、電子ペン本体部１０の第１のホルダー１１１の、収容部１１１ｂが突出している端面が、ペン先側筐体２１の開口２１ａの近傍の内壁面と衝合することで、筐体２内における電子ペン本体部１０の、軸心方向のペン先側への移動が規制される。
【００４９】
また、図７に示すように、後端側筐体２２の後端側は開口とされずに、中空部が閉塞された構成とされており、軸心方向に直交する方向の内壁面を有する。この後端側筐体２２の後端側の軸心方向に直交する方向の内壁面には、電子ペン本体部１０の後端側の嵌合部材１９が嵌合される凹部２２ａが設けられている。そして、電子ペン本体部１０を収納した状態で、ペン先側筐体２１と、後端側筐体２２とを螺合して結合したときに、後端側筐体２２の凹部２２ａ内に、電子ペン本体部１０の嵌合部材１９が嵌合して、電子ペン本体部１０は、軸心方向にがたつかない状態となるように構成されている。
【００５０】
この電子ペン１のペン体１２１のペン先に圧力（筆圧）が印加されると、電子ペン本体部１０は、印加された圧力に応じて軸心方向に移動するような変位する。しかし、電子ペン本体部１０の後端側は、上述したように、筐体２の後端側筐体２２により位置規制されているので、この電子ペン本体部１０の変位により、筆圧検出部１７においては、感圧部１７２が、押子部材１７３によりペン先に印加された圧力と同じ圧力を、ペン先に印加された圧力の方向とは反対の方向から受ける状態となる。これにより、筆圧検出部１７は、電子ペン本体部１０のペン体１２１のペン先に印加された圧力を検出する。
【００５１】
電子ペン１の筐体２において、ペン先側筐体２１と後端側筐体２２との螺合を外すことで、電子ペン本体部１０を、筐体２から容易に抜き出すことができる。そして、インク筆記部１２は、電子ペン構成ユニット１０Ｕの第２のホルダー１１２のインク筆記部収納部１１２ａから軸心方向に直交する方向に取り外すことができる。そして、インク筆記部１２において、インクカートリッジ１２３をペン芯１２２から引き抜き、新たなインクカートリッジ１２３と交換することができる。インク筆記部１２の全体を、交換するようにしても勿論よい。
【００５２】
［実施形態の効果］
上述の構成の実施形態の電子ペン本体部１０おいては、タブレットとの間で信号のやり取りをするためのインタラクション部は、コイル１４が巻回されたフェライトコア１３が収容部１１１ｂに収容されることで構成され、インク筆記部１２の液体のインクが含浸されるペン体１２１とは、ペン芯１２２を介して反対側に配設されている。このため、インタラクション部を構成する電子部品としてのコイル１４は、金属製のペン体１２１とは、樹脂製のペン芯１２２により離間されていると共に、収容部１１１ｂにより、インク筆記部１２とは別空間となるように仕切られているので、金属製のペン体１２１の影響を受けにくくすることができると共に、液体のインクの影響を受けにくくすることができる。
【００５３】
そして、この実施形態の電子ペン１においては、筆圧検出部１７は、電子ペン本体部１０の後端部に設けられていると共に、ペン体１２１のペン先に印加される圧力（筆圧）に応じて電子ペン本体部１０の全体が軸心方向に変位するように構成して、その電子ペン本体部１０の軸心方向に変位に応じた圧力を検出する構成であって、ペン体のペン先に印加される筆圧を確実に検出することができる。
【００５４】
［第２の実施形態］
上述の第１の実施形態の電子ペン１では、電子ペン本体部１０の全体が、筐体２内において、ペン体１２１のペン先に印加される圧力（筆圧）に応じて軸心方向に変位することを用いて筆圧を検出するようにした。しかし、インク筆記部１２による筆記は、使用者が電子ペン１の筐体２を用紙に対して斜めに傾けた状態で行うことが多いと考えられる。このため、電子ペン本体部１０の軸心方向の変位に基づく方法では、筆圧検出が困難になる場合も生じる。
【００５５】
第２の実施形態の電子ペン１Ｂは、電子ペン本体部１０Ｂを、電子ペン１Ｂの筐体２Ｂ内で、軸心方向に交差する方向に回転変位することができるように構成すると共に、筆圧検出部を、電子ペン本体部１０Ｂを、軸心方向に交差する方向に回動変位させる力を検出できるように構成して、ペン体１２１のペン先に斜め方向から印加される圧力（筆圧）を、比較的良好に検出することができるようにした場合の例である。
【００５６】
図８（Ａ）は、この第２の実施形態の電子ペン１Ｂの構成例を説明するための縦断面図である。また、図８（Ｂ）及び図８（Ｃ）は、第２の実施形態の電子ペン１Ｂを構成する電子ペン本体部１０Ｂの要部を説明するための図である。
【００５７】
この第２の実施形態におけるインク筆記部１２Ｂにおいては、ペン体１２１とインクカートリッジ１２３は、第１の実施形態と同様に構成されるが、ペン芯１２２Ｂは、第１の実施形態のペン芯１２２とは若干異なる構成とされている。
【００５８】
すなわち、この第２の実施形態のインク筆記部１２Ｂのペン芯１２２Ｂは、ペン芯本体１２２１の後端側に、回転軸保持部１２２２が結合されて構成されている。回転軸保持部１２２２は、電子ペン１Ｂの筐体の中心線位置よりもずれた位置において、軸心方向に直交する方向の回転軸１２２３を備える。そして、この回転軸保持部１２２２の後端側に、インクカートリッジ１２３が、着脱可能に取り付けられてインク筆記部１２Ｂが構成される。
【００５９】
この第２の実施形態の電子ペン本体部１０Ｂの電子ペン構成ユニット１０ＢＵは、ホルダー１１Ｂに、ハーフパイプ形状のインク筆記部収納部１１Ｂａと、インタラクション部を構成する収容部１１Ｂｂと、プリント基板１５が載置される基板載置部１１Ｂｃとを備える。
【００６０】
電子ペン構成ユニット１０ＢＵの収容部１１Ｂｂ内には、図示は省略するが、第１の実施形態と同様にコイル１４が巻回されたフェライトコア１３が収容されていると共に、コイル１４の両端のリード線１４ａ，１４ｂが、インク筆記部収納部１１Ｂａを介して、基板載置部１１Ｂｃまで延長して配置されている。基板載置部１１Ｂｃには、この実施形態においても、キャパシタ１６が配設されているプリント基板１５が載置されており、このプリント基板１５上において、コイル１４と、キャパシタ１６と、筆圧検出部１７Ｂにより構成される可変容量キャパシタとが並列に接続されて、共振回路が構成されている。
【００６１】
そして、第１の実施形態と同様に、インク筆記部１２Ｂのインクカートリッジ１２３及びペン芯１２２Ｂの回転軸保持部１２２２の部分が、ホルダー１１Ｂのインク筆記部収納部１１Ｂａ内に収納される。このとき、筐体２Ｂの軸心方向に直交する方向において、ペン芯１２２Ｂのペン芯本体１２２１の、ペン体１２１が設けられている側とは反対側に収容部１１Ｂｂが重ねられるようにされる。
【００６２】
そして、以上のように、インク筆記部１２Ｂがホルダー１１Ｂのインク筆記部収納部１１Ｂａに収納されて、ペン芯１２２Ｂに対して収容部１１Ｂｂが重ねられた状態において、インク筆記部１２Ｂとホルダー１１Ｂとが、固定部材１２５により固定される。この場合に、回転軸保持部１２２２は、筐体２Ｂの軸心方向に直交する方向において、回転軸１２２３が、ペン芯本体１２２１のペン体１２１が配設される側と同じ側おいて外部に露出する状態で固定される。
【００６３】
そして、この実施形態では、図８（Ｂ）に示すように、ハーフパイプ形状の２個の軸受部材１２６及び１２７により、回転軸１２２３を軸受支持する状態で、ホルダー１１Ｂのインク筆記部収納部１１Ｂａの一部を含んで回転軸保持部１２２２が覆われる。軸受部材１２６及び１２７は、図８（Ｂ）に示すように、ハーフパイプ形状の円周方向の互いに対向する端縁に、回転軸１２２３の軸心方向の一方及び他方の端部を軸受支持する軸受用穴１２６ａ及び１２７ａを備えている。
【００６４】
そして、この軸受部材１２６及び１２７は、軸受用穴１２６ａ及び１２７ａで回転軸１２２３の両端を軸受支持する状態で、図８（Ｃ）に示すように、回転軸保持部１２２２及びホルダー１１Ｂのインク筆記部収納部１１Ｂａの一部の周側面を覆うように結合される。この状態で、図８（Ｃ）に示すように、この第２の実施形態の電子ペン１Ｂの筐体２Ｂを構成するペン先側筐体２１Ｂが、ホルダー１１Ｂの基板載置部１１Ｂｃの後端側から挿入されて、図８（Ａ）に示すように、結合された２個の軸受部材１２６，１２７が、このペン先側筐体２１Ｂにより、その結合状態を保持されるようにされる。
【００６５】
この第２の実施形態においては、筆圧検出部１７Ｂは、軸心方向に交差する方向の圧力を検出するように、ホルダー１１Ｂに対して取り付けられている。すなわち、この第２の実施形態に用いられる筆圧検出部１７Ｂは、第１の実施形態の筆圧検出部１７と同様の構成を備えるもので、ホルダー１１Ｂの基板載置部１１Ｂｃの裏側の面に取り付け固定される取付固定部１７１Ｂと、感圧部１７２Ｂと、感圧部１７２Ｂに対して圧力を印加する押子部材１７３Ｂとからなる。押子部材１７３Ｂは、取付固定部１７１Ｂに対して筐体２Ｂの軸心方向に直交する方向に移動可能として感圧部１７２Ｂを押圧するような状態で、筆圧検出部１７Ｂから外部に突出している。
【００６６】
そして、図８（Ａ）に示すように、筐体２Ｂを構成する後端側筐体２２Ｂが、ホルダー１１Ｂの全体を軸心方向に収納するような状態で、ペン先側筐体２１Ｂと軸心方向に結合される。このとき、筆圧検出部１７Ｂの押子部材１７３Ｂは、筐体２Ｂの軸心方向に直交する方向に、取付固定部１７１に対して移動可能の状態で、当該筆圧検出部１７Ｂから外部に突出している。そのため、筆圧検出部１７Ｂの押子部材１７３Ｂの先端は、図８（Ａ）に示すように、筐体２Ｂの後端側筐体２２Ｂの内周側壁面と接触するような状態となる。
【００６７】
このように構成される第２の実施形態の電子ペン１Ｂのインク筆記部１２Ｂのペン体１２１のペン先に、図８（Ａ）の矢印ＡＲａの方向に圧力が印加されると、電子ペン本体部１０Ｂは、回転軸１２２３を回転中心として、後端側が、矢印ＡＲｂに示す方向に回動する。これにより、筆圧検出部１７Ｂの押子部材１７３Ｂは、筐体２Ｂの後端側筐体２２Ｂの内壁面に、ペン体１２１のペン先に印加された圧力に応じた力で、押し当てられることになる。このため、筆圧検出部１７Ｂの押子部材１７３Ｂは、後端側筐体２２Ｂの内周側壁面からの反力を受けて、感圧部１７２Ｂに圧力を加える状態となって、筆圧検出部１７Ｂは、ペン体１２１のペン先に印加された圧力に応じた圧力を検出する。
【００６８】
したがって、第１の実施形態の電子ペン１Ｂによれば、上述した第１の実施形態の電子ペン１と同様の作用効果が得られると共に、一般に傾けて使用されるインク筆記部１２Ｂのペン体１２１のペン先に印加される圧力を、筆圧検出部１７Ｂにより、良好に検出することができるという効果を奏する。
【００６９】
なお、電子ペン本体部１０Ｂを、電子ペン１Ｂの筐体２Ｂに対して軸心方向に直交する方向に回動可能の構成として、筆圧検出部１７Ｂで軸心方向に直交する方向の圧力を検出することができるようにするための構成としては、上述した回転軸１２２３を用いた構成に限られるものではなく、種々の構成が可能であることは言うまでもない。
【００７０】
［第３の実施形態］
上述の第１の実施形態の電子ペン１では、筆圧検出部１７により筐体２の軸心方向の圧力により筆圧を検出するようにし、また、第２の実施形態の電子ペン１Ｂでは、筆圧検出部１７Ｂにより筐体２Ｂの軸心方向に直交する方向の圧力により筆圧を検出するようにした。しかし、実際の筆圧は、電子ペンを傾けて使用する場合には、筐体の軸心方向の圧力と、軸心方向に直交する方向の圧力との合力となっている。
【００７１】
第３の実施形態では、このことに鑑み、筆圧検出手段として、第２の実施形態の電子ペン１Ｂの筆圧検出部１７Ｂに加えて、第１の実施形態の電子ペンの筆圧検出部１７と同様の構成の筆圧検出部１７Ｃを備える電子ペン１Ｃを提供する。
【００７２】
図９は、この第３の実施形態の電子ペン１Ｃの構成例を示す断面図であり、これは、第２の実施形態の電子ペン１Ｂの構成例を説明するための図８（Ａ）に対応するものである。この図９において、上述した第２の実施形態の電子ペン１Ｂと同一部分には、同一の参照符号を付して、その説明は省略する。
【００７３】
この例の電子ペン１Ｃにおいては、図９に示すように、電子ペン構成ユニット１０ＣＵのホルダー１１Ｂの基板載置部１１Ｂｃの後端側に、筐体２Ｃの軸心方向の圧力を検出する筆圧検出部１７Ｃを設ける。この筆圧検出部１７Ｃは、第１の実施形態における筆圧検出部１７と同様の構成を有し、ホルダー１１Ｂの基板載置部１１Ｂｃの後端部に対して固定するための取付固定部１７１Ｃと、感圧部１７２Ｃと、押子部材１７３Ｃとからなる。そして、押子部材１７３Ｃの外部に突出している部分に、嵌合部材１９Ｃが装着される。
【００７４】
この第３の実施形態の電子ペン１Ｃの筐体２Ｃは、第２の実施形態の電子ペン１Ｂと同様に、ペン先側筐体２１Ｃと後端側筐体２２Ｃとからなり、ペン先側筐体２１Ｃは、第２の実施形態におけるペン先側筐体２１Ｂと同一の構成とされる。この第３の実施形態における後端側筐体２２Ｃは、ペン先側筐体２１Ｃと結合することで、筐体２Ｃを構成するが、後端側筐体２２Ｃの後端側は開口とされずに、中空部が閉塞された構成とされており、軸心方向に直交する方向の内壁面を有する。
【００７５】
この後端側筐体２２Ｃの後端側の軸心方向に直交する方向の内壁面には、電子ペン本体部１０Ｃの後端側の嵌合部材１９Ｃが嵌合される凹部２２Ｃａが設けられている。そして、電子ペン本体部１０Ｃを収納した状態で、ペン先側筐体２１Ｃと、後端側筐体２２Ｃとを結合したときに、後端側筐体２２Ｃの凹部２２Ｃａ内に、電子ペン本体部１０Ｃの嵌合部材１９Ｃが嵌合して、電子ペン本体部１０Ｃは、軸心方向にがたつかない状態となるように構成されている。
【００７６】
この第３の実施形態では、後端側筐体２２Ｃの後端側の軸心方向に直交する方向の内壁面の凹部２２Ｃａは、図９に示すように、電子ペン本体部１０Ｃの後端側の嵌合部材１９Ｃが軸心方向に直交する方向に変位することが可能なように、嵌合部材１９Ｃよりも大きなものとされている。このようにするのは、筆圧検出部１７Ｂで軸心方向に直交する方向の筆圧を検出するために、電子ペン本体部１０Ｃの全体が、回転軸１２２３を回転中心として回動変位することを可能するためであり、凹部２２Ｃａの大きさは、筆圧検出部１７Ｂで軸心方向に直交する方向の筆圧を検出することを可能にする大きさとされる。
【００７７】
そして、この第３の実施形態では、このようにペン先側筐体２１Ｃと、後端側筐体２２Ｃとを結合したときに、ペン先側筐体２１Ｃと、後端側筐体２２Ｃとの間には、図９に示すように、軸心方向の筆圧を検出するのに十分な長さの空隙ｇが生じるように構成されている。この空隙ｇは、インク筆記部１２Ｂのペン体１２１のペン先に圧力が印加されたときに、電子ペン本体部１０Ｃの全体が、筐体２Ｃの後端側筐体２２Ｃに対して、軸心方向に変位することを可能とするためである。その他は、第２の実施形態の電子ペン１Ｂと同様の構成とされている。
【００７８】
この第３の実施形態の電子ペン１Ｃにおいては、インク筆記部１２Ｂのペン体１２１のペン先に圧力が印加されると、その軸心方向の成分は、筆圧検出部１７Ｃで検出され、また、その軸心方向に直交する方向の成分は、筆圧検出部１７Ｂで検出される。そして、この第３の実施形態の電子ペン１Ｃでは、筆圧情報は、筆圧検出部１７Ｃで検出された筆圧情報と、筆圧検出部１７Ｂで検出された筆圧情報とを、位置検出装置に送信するようにする。そして、位置検出装置では、筆圧検出部１７Ｃで検出された筆圧情報と、筆圧検出部１７Ｂで検出された筆圧情報とを合成（ベクトル合成）することで、電子ペン１Ｃのペン体１２１のペン先に印加された筆圧として検出する。
【００７９】
なお、電子ペン１Ｃにおいて、筆圧検出部１７Ｃで検出した筆圧情報と、筆圧検出部１７Ｂで検出した筆圧情報とを合成（ベクトル合成）する演算を行い、その合成した筆圧情報を位置検出装置に送信するようにしたもよい。
【００８０】
［位置検出装置で検出される電子ペンの指示位置の補正について］
上述した実施形態の電子ペン１，１Ｂ及び１Ｃにおいては、電磁誘導方式のインタラクション部を構成する収容部１１１ｂ，１１１Ｂｂの位置は、インク筆記部１２、１２Ｂのペン体１２１のペン先とは軸心方向に直交する方向にずれている。このために、位置検出装置で検出された電子ペン１，１Ｂ及び１Ｃの指示位置の座標は、インク筆記部１２、１２Ｂのペン体１２１のペン先による指示位置の座標とはずれる。
【００８１】
しかしながら、上述した実施形態の電子ペン１，１Ｂ及び１Ｃにおいては、インク筆記部１２，１２Ｂと、電子ペン構成ユニット１０Ｕ及び１０ＢＵのインタラクション部を構成する収容部１１１ｂ及び１１１Ｂｂとは結合されていて、互いの位置関係は固定されている。
【００８２】
そこで、この実施形態の電子ペン１，１Ｂ，１Ｃと共に使用する位置検出装置においては、検出された電子ペン１，１Ｂ，１Ｃによる指示位置の座標を、インク筆記部１２，１２Ｂと、電子ペン構成ユニット１０Ｕ及び１０ＢＵのインタラクション部を構成する収容部１１１ｂ及び１１１Ｂｂとの位置関係に基づいて補正する補正回路を設ける。これにより、電子ペン１，１Ｂ，１Ｃのインク筆記部１２、１２Ｂのペン体１２１のペン先による指示位置を、位置検出装置で正しく検出することができる。
【００８３】
［第４の実施形態］
上述の第１〜第３の実施形態の電子ペン１，１Ｂ，１Ｃは、いずれも電磁誘導方式の電子ペンに適用した場合であるが、この発明は、電磁誘導方式に限らず、静電結合方式など、他の方式の電子ペンにも適用可能であることは勿論である。
【００８４】
図１０は、この発明をアクティブ静電結合方式の電子ペンに適用した、第４の実施形態の電子ペン本体部１０Ｄの一例を説明するための図である。この図１０に示す電子ペン本体部１０Ｄの例は、第１の実施形態の電磁誘導方式の電子ペン１の構成を、アクティブ静電結合方式の電子ペンに変更したもので、図１に示したものと同一部分には、同一の参照符号を付して、その説明は省略する。
【００８５】
この図１０に示す第４の実施形態の電子ペン本体部１０Ｄにおいて、インク筆記部１２の構成は、第１の実施形態の電子ペン１と同様であって、ペン体１２１と、ペン芯１２２と、インクカートリッジ１２３とからなる。
【００８６】
この第４の実施形態の電子ペン本体部１０Ｄにおいては、電子ペン構成ユニット１０ＤＵは、第１の実施形態の電子ペン本体部１０のホルダー１１と同様の構成を備え、第１の実施形態の第１のホルダー１１１とは若干異なる第１のホルダー１１１Ｄと、第１の実施形態と同様の構成の第２のホルダー１１２とからなる。
【００８７】
すなわち、第１のホルダー１１１Ｄにおいては、インク筆記部１２のペン芯１２２のペン体１２１とは反対側のインク溝１２２ａ側に重ねられる収容部１１１Ｄｂを備えるが、この収容部１１１Ｄｂには、コイル１４が巻回されたフェライトコア１３の代わりに、導電性の棒状体３１が収容される。この導電性の棒状体３１は、筆記機能を備えないアクティブ静電結合方式の電子ペンの芯体を構成する。
【００８８】
この例では、導電性の棒状体３１は、リード線３３と接続され、このリード線３３が、第１のホルダー１１１Ｄと第２のホルダー１１２との間の隙間を通って、第２のホルダー１１２の基板載置部１１２ｃに設けられているプリント基板１５Ｄにまで延長されている。プリント基板１５Ｄには、信号発生回路３２が設けられており、リード線３３は、この信号発生回路３２の出力端に接続されている。
【００８９】
その他の構成は、プリント基板１５Ｄに対して、筆圧検出部１７が結合されることを含め、第１の実施形態の電子ペン１と同様に構成される。
【００９０】
この第４の実施形態の電子ペン１Ｄでは、静電結合方式で位置検出装置と結合して、信号発生回路３２からの信号を収容部１１１Ｄｂの導電性の棒状体３１から送信することで、位置検出装置とインタラクションする。この例では、筆圧検出部１７で検出した筆圧情報は、信号発生回路３２からの信号の周波数の変化して送信する。なお、信号発生回路３２からの信号をＡＳＫ（Amplitude Shift Keying）信号として、筆圧情報を含めるようにしてもよい。その他の動作は、第１の実施形態と同様であり、第１の実施形態と同様の作用効果を奏する。
【００９１】
［その他の実施形態又は変形例］
上述の実施形態では、筆圧情報は、位置検出装置と電磁誘導方式や静電結合方式でインタラクションする手段により、電子ペンから位置検出装置に送信するようにしたが、電子ペンと、位置検出装置とに、例えば近距離無線通信方式による無線通信部を設けて、その無線通信部を通じて、別途送信するようにしてもよい。
【符号の説明】
【００９２】
１，１Ｂ，１Ｃ，１Ｄ…電子ペン、２，２Ｂ，２Ｃ…筐体、１０，１０Ｂ，１０Ｃ，１０Ｄ…電子ペン本体部、１０Ｕ，１０ＤＵ…電子ペン構成ユニット、１１，１１Ｂ，１１Ｃ，１１Ｄ…ホルダー、１２，１２Ｂ…インク筆記部、１３…フェライトコア、１４…コイル、１５…プリント基板、１６…キャパシタ、１７，１７Ｂ，１７Ｃ…筆圧検出部、１１１ａ…インク筆記部収納部、１１１ｂ…収容部、１２１…ペン体、１２２，１２２Ｂ…ペン芯、１２３…インクカートリッジ
【図１】
2019163231.tif 000003
【図２】
2019163231.tif 000004
【図３】
2019163231.tif 000005
【図４】
2019163231.tif 000006
【図５】
2019163231.tif 000007
【図６】
2019163231.tif 000008
【図７】
2019163231.tif 000009
【図８】
2019163231.tif 000010
【図９】
2019163231.tif 000011
【図１０】
2019163231.tif 000012
【手続補正書】
【提出日】令和2年5月7日(2020.5.7)
【手続補正１】
【補正対象書類名】明細書
【補正対象項目名】００３１
【補正方法】変更
【補正の内容】
【００３１】
筒状の第１のホルダー１１１の、第２のホルダー１１２が挿入されて結合されたときに、基板載置部１１２ｃが対応する位置となる部分は、図１〜図３に示すように、当該基板載置部１１２ｃが第１のホルダー１１１からも外部に露出するように、ハーフパイプ状に切り欠かれた切欠き部１１１ｃとされている。
【手続補正２】
【補正対象書類名】明細書
【補正対象項目名】００３９
【補正方法】変更
【補正の内容】
【００３９】
先ず、図３（Ｃ）に示すように、コイル１４を巻回したフェライトコア１３を、第１のホルダー１１１の収容部１１１ｂ内に挿入して収容する。このとき、コイル１４の両端のリード線１４ａ及び１４ｂは、第１のホルダー１１１の凹部１１１ａの底部に、軸心方向に這わせられ、第１のホルダー１１１の切欠き部１１１ｃにまで延長される状態としておく（図１、図３（Ｂ）及び図４（Ａ），（Ｂ）参照）。
【手続補正３】
【補正対象書類名】明細書
【補正対象項目名】００６８
【補正方法】変更
【補正の内容】
【００６８】
したがって、第２の実施形態の電子ペン１Ｂによれば、上述した第１の実施形態の電子ペン１と同様の作用効果が得られると共に、一般に傾けて使用されるインク筆記部１２Ｂのペン体１２１のペン先に印加される圧力を、筆圧検出部１７Ｂにより、良好に検出することができるという効果を奏する。
【国際調査報告】
2019163231.tif 000013
2019163231.tif 000014
2019163231.tif 000015
2019163231.tif 000016